(57)【要約】【課題】【解決手段】  本発明は、ネットワーク設定方法及びネットワーク装置を開示し、動的にＵＥとマッチングするモビリティステートマシンおよびトンネルタイプを選択することによって、リソース利用の効率を改善する。前記方法では、ＵＥがネットワークにアクセスするときに、前記ＵＥの属性を決定し、前記ＵＥの属性に基づき、前記ＵＥに対応する設定パラメータを決定し、前記設定パラメータに基づき、ＵＥに指示するかまたは設定し、および／またはネットワーク側の関連するネットワーク機能エンティティまたはノードに指示するかまたは設定する。【選択図】図１
2019528628.tif 000002
【特許請求の範囲】
【請求項１】
ＵＥがネットワークにアクセスするときに、前記ＵＥの属性を決定するステップと、
前記ＵＥの属性に基づき、前記ＵＥに対応する設定パラメータを決定するステップと、
前記設定パラメータに基づき、前記ＵＥに指示するかまたは設定し、および／またはネットワーク側の関連するネットワーク機能エンティティまたはノードに指示するかまたは設定することを特徴とするネットワーク設定方法。
【請求項２】
前記ＵＥの属性は、
ＵＥの能力と、
ＵＥのモビリティ属性と、
ＵＥのセッション属性と、
ＵＥのモビリティ状態の集合と、のうちの任意の１つまたは複数を含むことを特徴とする請求項１に記載のネットワーク設定方法。
【請求項３】
前記ＵＥの属性では、
前記ＵＥのモビリティ属性は、モビリティ制限と、モビリティモデルと、到達可能性との要件の一部または全部を含み、
前記ＵＥのセッション属性は、セッションのタイプおよび／またはセッション継続モードを含む、ことを特徴とする請求項２に記載のネットワーク設定方法。
【請求項４】
前記ＵＥの能力は、前記ＵＥによってサポートされる動作モードと、
前記ＵＥによってサポートされるアクセス技術と、
前記ＵＥによってサポートされるモビリティ状態とのうちの任意の１つまたは複数を示すパラメータであることを特徴とする請求項３に記載のネットワーク設定方法。
【請求項５】
前記ＵＥの属性は、
前記設定パラメータは、前記ＵＥに許可されたモビリティ状態と、前記ネットワーク側のモビリティ状態と、前記ネットワーク側の伝送トンネルタイプとのうちの任意の１つまたは複数を含むことを特徴とする請求項１に記載のネットワーク設定方法。
【請求項６】
前記ＵＥの属性に基づき、前記ＵＥに対応する設定パラメータを決定する場合、
前記モビリティ制限と、前記モビリティモデルと、前記到達可能性要件と、前記ＵＥの能力とのうちの一部または全部に基づき、前記ＵＥに許可されたモビリティ状態を決定することを特徴とする請求項５に記載のネットワーク設定方法。
【請求項７】
前記ＵＥに許可されたモビリティ状態を決定する場合、
モビリティ制限がフリーモビリティであり、到達可能性要件が位置追跡のサポートであれば、前記ＵＥがアイドル状態に入ることを許可されていること及び状態遷移条件を決定し、前記状態遷移条件はそれぞれアイドル状態に入ることおよびアイドル状態から出ることに対応することを特徴とする請求項６に記載のネットワーク設定方法。
【請求項８】
前記ＵＥに許可されたモビリティ状態を決定する場合、
前記モビリティ制限が不動または制限付きモビリティであり、到達可能性要件が位置追跡のサポート、または省電力モードのサポートである場合、前記ＵＥが無線リソース制御（ＲＲＣ）層_接続_非アクティブ状態に入ることが許可されていると決定することを特徴とする請求項６に記載のネットワーク設定方法。
【請求項９】
前記ＵＥの属性に基づき、前記ＵＥに対応する設定パラメータを決定する場合、
前記モビリティ制限と、前記モビリティモデルと、前記到達可能性要件と、前記ＵＥの能力とのうちの一部または全部に基づき、前記ＵＥに対応するコアネットワーク側のモビリティ状態の集合を決定し、及び
前記モビリティ制限と、前記モビリティモデルと、前記到達可能性要件と、前記ＵＥの能力とのうちの一部または全部に基づき、前記ＵＥに対応するアクセスネットワーク側の利用可能なモビリティ状態を決定することを特徴とする請求項５に記載のネットワーク設定方法。
【請求項１０】
前記ＵＥに対応するコアネットワーク側のモビリティ状態の集合を決定する場合、
前記モビリティ制限がフリーモビリティ制限であり、前記到達可能性要件が位置追跡のサポートであれば、前記コアネットワーク側の前記モビリティ状態の集合にアイドル状態が含まれること及び状態遷移条件を決定し、前記状態遷移条件がそれぞれアイドル状態に入ることおよびアイドル状態から出ることに対応することを特徴とする請求項９に記載のネットワーク設定方法。
【請求項１１】
前記ＵＥに対応するアクセスネットワーク側の利用可能なモビリティ状態を決定する場合、
前記モビリティ制限が不動または制限付きモビリティ制限であり、前記到達可能性要件が位置追跡のサポートまたは省電力モードのサポートであれば、前記アクセスネットワーク側の前記モビリティ状態にＲＲＣ層_接続_非アクティブ状態が含まれると決定することを特徴とする請求項９に記載のネットワーク設定方法。
【請求項１２】
前記ＵＥの属性に基づき、前記ＵＥに対応する設定パラメータを決定する場合、
前記ＵＥのモビリティ状態の集合を取得し、
前記モビリティ制限と、前記モビリティモデルと、前記到達可能性要件と、前記ＵＥの能力とのうちの一部または全部に基づき、取得された前記ＵＥのモビリティ状態の集合が適切であるかどうかを決定し、
取得された前記ＵＥのモビリティ状態の集合が適切であると決定したときに、前記ネットワーク側の非アクセスする層（ＮＡＳ）モビリティ状態の集合を決定することを特徴とする請求項５に記載のネットワーク設定方法。
【請求項１３】
前記ネットワーク側のＮＡＳモビリティ状態を決定した後、
前記ＵＥのモビリティ状態の集合と、モビリティ制限と、モビリティモデルとのうちの一部または全部に基づき、ＲＲＣ層モビリティ状態を生成するかまたはモビリティ状態のパラメータを決定する際にアクセスネットワークノードを支援することを特徴とする請求項１２に記載のネットワーク設定方法。
【請求項１４】
前記ＵＥの属性に基づき、前記ＵＥに対応する設定パラメータを決定する場合、
前記モビリティ制限と、前記モビリティモデルと、前記セッションのタイプと、前記セッション継続モードとのうちの一部または全部に基づき、前記ネットワーク側の伝送トンネルタイプを決定することを特徴とする請求項５に記載のネットワーク設定方法。
【請求項１５】
前記モビリティ制限と、前記モビリティモデルと、前記セッションのタイプと、前記セッション継続モードとのうちの一部または全部に基づき、前記ネットワーク側の伝送トンネルタイプを決定する場合、
前記モビリティ制限が何らかの制限であり、前記セッションのタイプが非インターネットプロトコル（ＩＰ）データ送信であるとき、前記伝送トンネルタイプを単純トンネルタイプとして決定し、または、
前記モビリティ制限がフリーモビリティであり、前記セッションのタイプが通常のＩＰデータ送信であるとき、前記伝送トンネルタイプを単純トンネルタイプまたは非トンネルタイプとして決定し、または、
前記モビリティ制限が制限付きモビリティ制限であり、前記セッションのタイプが通常のＩＰデータ送信および／または前記セッション継続モードが継続性を必要としないとき、前記伝送トンネルタイプを単純トンネルタイプまたは非トンネルタイプとして決定し、または、
前記モビリティ制限がフリーモビリティ制限であり、前記セッションのタイプが通常のＩＰデータ送信であるとき、前記伝送トンネルモデルをＵＥごとおよびセッションごとのトンネルタイプとして決定し、または、
前記モビリティ制限がフリーモビリティ制限であり、前記セッションのタイプが優先順位の高いＩＰデータ送信であるとき、前記伝送トンネルモデルを、ＵＥごと、セッションごと、およびサービス品質ごとのトンネルタイプとして決定することを特徴とする請求項１４に記載のネットワーク設定方法。
【請求項１６】
前記設定パラメータに基づき、ＵＥに指示するかまたは設定し、および／またはネットワーク側の関連するネットワーク機能エンティティまたはノードに指示するかまたは設定する場合、
前記コアネットワークにおいて、前記モビリティ状態の集合および／または前記状態遷移条件を設定し、および／または、
関連するアクセスノードに、モビリティ状態、および／またはモビリティ状態を決定するためのパラメータを示すことを特徴とする請求項９〜１３のいずれか１項に記載のネットワーク設定方法。
【請求項１７】
前記設定パラメータに基づき、ＵＥに指示するかまたは設定し、および／またはネットワーク側の関連するネットワーク機能エンティティまたはノードに指示するかまたは設定する場合、
前記伝送トンネルタイプに基づき、前記ネットワーク側のユーザプレーン機能モジュールを設定することを特徴とする請求項１４又は１５に記載のネットワーク設定方法。
【請求項１８】
前記設定パラメータに基づき、ＵＥに指示するかまたは設定し、および／またはネットワーク側の関連するネットワーク機能エンティティまたはノードに指示するかまたは設定する場合、
前記ＵＥに、前記ＵＥに許可されたモビリティ状態および／または前記状態遷移条件を示すことを特徴とする請求項６〜８のいずれか１項に記載のネットワーク設定方法。
【請求項１９】
ＵＥがネットワークにアクセスするときに、前記ＵＥの属性を決定する第１決定モジュールと、
前記ＵＥの属性に基づき、前記ＵＥに対応する設定パラメータを決定する第２決定モジュールと、
前記設定パラメータに基づき、ＵＥに指示するかまたは設定し、および／またはネットワーク側の関連するネットワーク機能エンティティまたはノードに指示するかまたは設定する処理モジュールと、を備えることを特徴とするネットワーク装置。
【請求項２０】
前記ＵＥの属性は、
ＵＥの能力と、
ＵＥのモビリティ属性と、
ＵＥのセッション属性と、
ＵＥのモビリティ状態の集合とのうちの任意の１つまたは複数を含むことを特徴とする請求項１９に記載のネットワーク装置。
【請求項２１】
前記ＵＥのモビリティ属性は、モビリティ制限と、モビリティモデルと、到達可能性との要件の一部または全部を含み、
前記ＵＥのセッション属性は、セッションのタイプおよび／またはセッション継続モードを含むことを特徴とする請求項２０に記載のネットワーク装置。
【請求項２２】
前記ＵＥの能力は、
前記ＵＥによってサポートされる動作モードと、
前記ＵＥによってサポートされるアクセス技術と、
前記ＵＥによってサポートされるモビリティ状態とのうちの任意の１つまたは複数を示すパラメータであることを特徴とする請求項２１に記載のネットワーク装置。
【請求項２３】
前記設定パラメータは、前記ＵＥに許可されたモビリティ状態と、前記ネットワーク側のモビリティ状態と、前記ネットワーク側の伝送トンネルタイプとのうちの任意の１つまたは複数を含むことを特徴とする請求項１９に記載のネットワーク装置。
【請求項２４】
前記第２決定モジュールは、
前記モビリティ制限と、前記モビリティモデルと、前記到達可能性要件と、前記ＵＥの能力とのうちの一部または全部に基づき、前記ＵＥに許可されたモビリティ状態を決定することを特徴とする請求項２３に記載のネットワーク装置。
【請求項２５】
前記第２決定モジュールは、
前記モビリティ制限がフリーモビリティ制限であり、前記到達可能性要件が位置追跡のサポートであれば、前記ＵＥがアイドル状態に入ることを許可されていること及び状態遷移条件を決定し、前記状態遷移条件はそれぞれアイドル状態に入ることおよびアイドル状態から出ることに対応することを特徴とする請求項２４に記載のネットワーク装置。
【請求項２６】
前記第２決定モジュールは、
前記モビリティ制限が不動または制限付きモビリティ制限であり、前記到達可能性要件が位置追跡のサポートまたは省電力モードのサポートであれば、前記ＵＥが無線リソース制御（ＲＲＣ）層_接続_非アクティブ状態に入ることを許可されていると決定することを特徴とする請求項２４に記載のネットワーク装置。
【請求項２７】
前記第２決定モジュールは、
前記モビリティ制限と、前記モビリティモデルと、前記到達可能性要件と、前記ＵＥの能力とのうちの一部または全部に基づき、前記ＵＥに対応するコアネットワーク側のモビリティ状態の集合を決定し、及び、
前記モビリティ制限と、前記モビリティモデルと、前記到達可能性要件と、前記ＵＥの能力とのうちの一部または全部に基づき、前記ＵＥに対応するアクセスネットワーク側の利用可能なモビリティ状態を決定することを特徴とする請求項２３に記載のネットワーク装置。
【請求項２８】
前記第２決定モジュールは、
前記モビリティ制限がフリーモビリティ制限であり、前記到達可能性要件が位置追跡のサポートであれば、前記コアネットワーク側の前記モビリティ状態の集合にアイドル状態が含まれること及び状態遷移条件を決定し、前記状態遷移条件がそれぞれアイドル状態に入ることおよびアイドル状態から出ることに対応することを特徴とする請求項２７に記載のネットワーク装置。
【請求項２９】
前記第２決定モジュールは、
前記モビリティ制限が不動または制限付きモビリティ制限であり、前記到達可能性要件が位置追跡のサポートまたは省電力モードのサポートであれば、前記アクセスネットワーク側の前記モビリティ状態にＲＲＣ無線リソース制御層_接続_非アクティブ状態が含まれると決定することを特徴とする請求項２７に記載のネットワーク装置。
【請求項３０】
前記第２決定モジュールは、
前記ＵＥのモビリティ状態の集合を取得し、
前記モビリティ制限と、前記モビリティモデルと、前記到達可能性要件と、前記ＵＥの能力とのうちの一部または全部に基づき、取得された前記ＵＥのモビリティ状態の集合が適切であるかどうかを決定し、
取得された前記ＵＥのモビリティ状態の集合が適切であると決定したときに、前記ネットワーク側のＮＡＳモビリティ状態の集合を決定することを特徴とする請求項２３に記載のネットワーク装置。
【請求項３１】
前記第２決定モジュールは、
前記ＵＥのモビリティ状態の集合と、モビリティ制限と、モビリティモデルとのうちの一部または全部に基づき、ＲＲＣ層モビリティ状態を生成するかまたはモビリティ状態のパラメータを決定する際にアクセスネットワークノードを支援することを特徴とする請求項３０に記載のネットワーク装置。
【請求項３２】
前記第２決定モジュールは、
前記モビリティ制限と、前記モビリティモデルと、前記セッションのタイプと、前記セッション継続モードとのうちの一部または全部に基づき、前記ネットワーク側の伝送トンネルタイプを決定することを特徴とする請求項２３に記載のネットワーク装置。
【請求項３３】
前記第２決定モジュールは、
前記モビリティ制限が何らかの制限であり、前記セッションのタイプが非ＩＰデータ送信であるとき、前記伝送トンネルタイプを単純トンネルタイプとして決定し、または、
前記モビリティ制限がフリーモビリティであり、前記セッションのタイプが通常のＩＰデータ送信であるとき、前記伝送トンネルタイプを単純トンネルタイプまたは非トンネルタイプとして決定し、または、
前記モビリティ制限が制限付きモビリティ制限であり、前記セッションのタイプが通常のＩＰデータ送信および／または前記セッション継続モードが継続性を必要としないとき、前記伝送トンネルタイプを単純トンネルタイプまたは非トンネルタイプとして決定し、または、
前記モビリティ制限がフリーモビリティ制限であり、前記セッションのタイプが通常のＩＰデータ送信であるとき、前記伝送トンネルモデルをＵＥごとおよびセッションごとのトンネルタイプとして決定し、または、
前記モビリティ制限がフリーモビリティ制限であり、前記セッションのタイプが優先順位の高いＩＰデータ送信であるとき、前記伝送トンネルモデルを、ＵＥごと、セッションごと、およびサービス品質ごとのトンネルタイプとして決定することを特徴とする請求項３２に記載のネットワーク装置。
【請求項３４】
前記処理モジュールは、
前記コアネットワークにおいて、前記モビリティ状態の集合および／または前記状態遷移条件を設定し、および／または、
関連するアクセスノードに、モビリティ状態、および／またはモビリティ状態を決定するためのパラメータを示すことを特徴とする請求項２７〜３１のいずれか１項に記載のネットワーク装置。
【請求項３５】
前記処理モジュールは、
前記伝送トンネルタイプに基づき、前記ネットワーク側のユーザプレーン機能モジュールを設定することを特徴とする請求項３２又は３３に記載のネットワーク装置。
【請求項３６】
前記処理モジュールは、
前記ＵＥに、前記ＵＥに許可されたモビリティ状態および／または前記状態遷移条件を示すことを特徴とする請求項２４〜２６のいずれか１項に記載のネットワーク装置。
【発明の詳細な説明】
【技術分野】
【０００１】
本発明は通信技術分野に関し、特に、ネットワーク設定方法及びネットワーク装置に関する。
【背景技術】
【０００２】
１、第３世代パートナーシッププロジェクト（3rd Generation Partnership Project，３ＧＰＰ）テクニカルレポート（Technical Report，ＴＲ）２２.８９１でのオンデマンドモビリティのサポートに対する需要の紹介
【０００３】
３ＧＰＰ ＴＲ ２２．８９１に記載されているように、５Ｇネットワークには異なる通信シーンがあるので、オンデマンドモビリティのサポートは、将来の５Ｇネットワークで提供される。異なるユーザ機器（ＵＥ）の異なる移動モードがある。例えば、いくつかのＵＥは高速で移動しながらネットワークにアクセスし、いくつかのＵＥはノマディック（nomadic）またはスタティック（static）にネットワークにアクセスする。また、トラフィックによっては、モビリティサポートの要件も異なる。たとえば、トラフィックの送信中にトラフィックの中断やパケット損失率を軽減および低下させる必要がある場合、ネットワークはモビリティイベントをネットワークから隠される。たとえば、ハンドオーバー中は、インターネットプロトコル（Internet Protocol，ＩＰ）アドレスを変更しないでおくことができるが、他のアプリケーションではアプリケーション層を通じてトラフィックの継続性をサポートできる。これを考慮して、３ＧＰＰでは、オンデマンドモビリティのサポートが提案されている。
【０００４】
２、ＵＥのステートマシンの紹介
【０００５】
全ＵＥのステートマシンに対するユニバーサル状態モデル、および異なるＵＥの異なるステートマシンモデル、例えば省電力モードにおけるＵＥの省電力（POWER_SAVING）状態、および固定ＵＥの単純化されたステートマシンモデルの両方は、既存のＴＲ ２３.７９９で提案されている。ＥＰＳシステムにおける一般的な状態モデルは、図１および図２に示す通りである。
【０００６】
３、ＵＥセッションのトンネルタイプの紹介
【０００７】
既存のＴＲ ２３．７９９において提案されている多数のトンネルタイプがある。
Per QoS class tunnel、即ち、一対のネットワーク機能間のトンネルは、ＵＥごと、セッションごと、およびサービス品質ごとのタイプである。
Per PDU session tunnel、即ち、一対のネットワーク機能間のトンネルは、ＵＥごと、セッションごとのタイプである。
Per node-level tunnel、即ち、一対のネットワーク機能間のトンネルは、ノードごとのタイプである。
No tunnel，即ち、SDN-Based Approach、即ち、一対のネットワーク機能間の伝送に、トンネルが利用されない。
【０００８】
一般的な移動体通信ネットワークを含む一般的なネットワーク、例えばＬＴＥネットワークでは、単一のＵＥステートマシンと単一のトンネルモデル、すなわちベアラごと（per bearer）のトンネルのみがサポートされる。しかしながら、次世代ネットワークでは、様々なタイプのＵＥ、および異なる通信シーンがあり、これらのＵＥが同じステートマシンである場合、シグナリングの浪費があり、それらの状態を維持することは複雑になるであろう。そして、これらの異なるシーンにおいて異なるＵＥに対してセッション接続を設定するために、適切なトンネルモデルを動的かつ柔軟に選択することができない場合、不要なリソースの浪費、例えば、パケットヘッダカプセル化およびオーバーヘッドなどが生じる。
【０００９】
したがって、次世代ネットワークにおいて、リソース利用の効率を改善するために、マッチングパラメータを用いて通信中のＵＥを動的に構成することが非常に望ましい。
【発明の概要】
【発明が解決しようとする課題】
【００１０】
本発明に係る実施例は、ネットワーク設定方法及びネットワーク装置を提供し、動的にＵＥとマッチングするモビリティステートマシンおよびトンネルタイプを選択することによって、リソース利用の効率を改善する。
【課題を解決するための手段】
【００１１】
本発明に係る実施例は、以下の技術的な解決策を提供する。
【００１２】
第１の態様によれば、本発明の実施例に係るネットワーク設定方法は、
ＵＥがネットワークにアクセスするときに、前記ＵＥの属性を決定するステップと、
前記ＵＥの属性に基づき、前記ＵＥに対応する設定パラメータを決定するステップと、
前記設定パラメータに基づき、ＵＥに指示するかまたは設定し、および／またはネットワーク側の関連するネットワーク機能エンティティまたはノードに指示するかまたは設定するステップと、を備える。
【００１３】
可能な実施形態において、前記ＵＥの属性は、
ＵＥの能力と、
ＵＥのモビリティ属性と、
ＵＥのセッション属性と、
ＵＥのモビリティ状態の集合とのうちの任意の１つまたは複数を含む。
【００１４】
可能な実施形態において、前記ＵＥのモビリティ属性は、モビリティ制限と、モビリティモデルと、到達可能性との要件の一部または全部を含み、前記ＵＥのセッション属性は、セッションのタイプおよび／またはセッション継続モードを含む。
【００１５】
可能な実施形態において、前記ＵＥの能力は、
前記ＵＥによってサポートされる動作モードと、
前記ＵＥによってサポートされるアクセス技術と、
前記ＵＥによってサポートされるモビリティ状態とのうちの任意の１つまたは複数を示すパラメータである。
【００１６】
可能な実施形態において、前記設定パラメータは、前記ＵＥに許可されたモビリティ状態と、前記ネットワーク側のモビリティ状態と、前記ネットワーク側の伝送トンネルタイプとのうちの任意の１つまたは複数を含む。
【００１７】
可能な実施形態において、前記ＵＥの属性に基づき、前記ＵＥに対応する設定パラメータを決定する場合、
前記モビリティ制限と、前記モビリティモデルと、前記到達可能性要件と、前記ＵＥの能力とのうちの一部または全部に基づき、前記ＵＥに許可されたモビリティ状態を決定する。
【００１８】
可能な実施形態において、前記ＵＥに許可されたモビリティ状態を決定する場合、
前記モビリティ制限がフリーモビリティ制限であり、前記到達可能性要件が位置追跡のサポートであれば、前記ＵＥがアイドル状態に入ることを許可されていること及び状態遷移条件を決定し、前記状態遷移条件はそれぞれアイドル状態に入ることおよびアイドル状態から出ることに対応する。
【００１９】
可能な実施形態において、前記ＵＥに許可されたモビリティ状態を決定する場合、
前記モビリティ制限が不動または制限付きモビリティ制限であり、前記到達可能性要件が位置追跡のサポートまたは省電力モードのサポートであれば、前記ＵＥが無線リソース制御（ＲＲＣ）層_接続_非アクティブ状態に入ることが許可されていると決定する。
【００２０】
可能な実施形態において、前記ＵＥの属性に基づき、前記ＵＥに対応する設定パラメータを決定する場合、
前記モビリティ制限と、前記モビリティモデルと、前記到達可能性要件と、前記ＵＥの能力とのうちの一部または全部に基づき、前記ＵＥに対応するコアネットワーク側のモビリティ状態の集合を決定し、及び、
前記モビリティ制限と、前記モビリティモデルと、前記到達可能性要件と、前記ＵＥの能力とのうちの一部または全部に基づき、前記ＵＥに対応するアクセスネットワーク側の利用可能なモビリティ状態を決定する。
【００２１】
可能な実施形態において、前記ＵＥに対応するコアネットワーク側のモビリティ状態の集合を決定する場合、
前記モビリティ制限がフリーモビリティ制限であり、前記到達可能性要件が位置追跡のサポートであれば、前記コアネットワーク側の前記モビリティ状態の集合にアイドル状態が含まれること及び状態遷移条件を決定し、前記状態遷移条件がそれぞれアイドル状態に入ることおよびアイドル状態から出ることに対応する。
【００２２】
可能な実施形態において、前記ＵＥに対応するアクセスネットワーク側の利用可能なモビリティ状態を決定する場合、
前記モビリティ制限が不動または制限付きモビリティ制限であり、前記到達可能性要件が位置追跡のサポートまたは省電力モードのサポートであれば、前記アクセスネットワーク側の前記モビリティ状態に無線リソース制御（ＲＲＣ）層_接続_非アクティブ状態が含まれると決定する。
【００２３】
可能な実施形態において、前記ＵＥの属性に基づき、前記ＵＥに対応する設定パラメータを決定する場合、
前記ＵＥのモビリティ状態の集合を取得し、
前記モビリティ制限と、前記モビリティモデルと、前記到達可能性要件と、前記ＵＥの能力とのうちの一部または全部に基づき、取得された前記ＵＥのモビリティ状態の集合が適切であるかどうかを決定し、
取得された前記ＵＥのモビリティ状態の集合が適切であると決定したときに、前記ネットワーク側のＮＡＳモビリティ状態の集合を決定する。
【００２４】
可能な実施形態において、前記ネットワーク側のＮＡＳモビリティ状態を決定した後、
前記ＵＥのモビリティ状態の集合と、モビリティ制限と、モビリティモデルとのうちの一部または全部に基づき、ＲＲＣ層モビリティ状態を生成するかまたはモビリティ状態のパラメータを決定する際にアクセスネットワークノードを支援する。
【００２５】
可能な実施形態において、前記ＵＥの属性に基づき、前記ＵＥに対応する設定パラメータを決定する場合、
前記モビリティ制限と、前記モビリティモデルと、前記セッションのタイプと、前記セッション継続モードとのうちの一部または全部に基づき、前記ネットワーク側の伝送トンネルタイプを決定する。
【００２６】
可能な実施形態において、前記モビリティ制限と、前記モビリティモデルと、前記セッションのタイプと、前記セッション継続モードとのうちの一部または全部に基づき、前記ネットワーク側の伝送トンネルタイプを決定する場合、
前記モビリティ制限が何らかの制限であり、前記セッションのタイプが非ＩＰデータ送信であるとき、前記伝送トンネルタイプを単純トンネルタイプとして決定し、または、
前記モビリティ制限がフリーモビリティであり、前記セッションのタイプが通常のＩＰデータ送信であるとき、前記伝送トンネルタイプを単純トンネルタイプまたは非トンネルタイプとして決定し、または、
前記モビリティ制限が制限付きモビリティ制限であり、前記セッションのタイプが通常のＩＰデータ送信および／または前記セッション継続モードが継続性を必要としないとき、前記伝送トンネルタイプを単純トンネルタイプまたは非トンネルタイプとして決定し、または、
前記モビリティ制限がフリーモビリティ制限であり、前記セッションのタイプが通常のＩＰデータ送信であるとき、前記伝送トンネルモデルをＵＥごとおよびセッションごとのトンネルタイプとして決定し、または、
前記モビリティ制限がフリーモビリティ制限であり、前記セッションのタイプが優先順位の高いＩＰデータ送信であるとき、前記伝送トンネルモデルを、ＵＥごと、セッションごと、およびサービス品質ごとのトンネルタイプとして決定する。
【００２７】
可能な実施形態において、前記設定パラメータに基づき、ＵＥに指示するかまたは設定し、および／またはネットワーク側の関連するネットワーク機能エンティティまたはノードに指示するかまたは設定する場合、
前記コアネットワークにおいて、前記モビリティ状態の集合および／または前記状態遷移条件を設定し、および／または、
関連するアクセスノードに、モビリティ状態、および／またはモビリティ状態を決定するためのパラメータを示す。
【００２８】
可能な実施形態において、前記設定パラメータに基づき、ＵＥに指示するかまたは設定し、および／またはネットワーク側の関連するネットワーク機能エンティティまたはノードに指示するかまたは設定する場合、
前記伝送トンネルタイプに基づき、前記ネットワーク側のユーザプレーン機能モジュールを設定する。
【００２９】
可能な実施形態において、前記設定パラメータに基づき、ＵＥに指示するかまたは設定し、および／またはネットワーク側の関連するネットワーク機能エンティティまたはノードに指示するかまたは設定する場合、
前記ＵＥに、前記ＵＥに許可されたモビリティ状態および／または前記状態遷移条件を示す。
【００３０】
第２の態様によれば、本発明の実施例に係るネットワーク装置は、
ＵＥがネットワークにアクセスするときに、前記ＵＥの属性を決定する第１決定モジュールと、
前記ＵＥの属性に基づき、前記ＵＥに対応する設定パラメータを決定する第２決定モジュールと、
前記設定パラメータに基づき、ＵＥに指示するかまたは設定し、および／またはネットワーク側の関連するネットワーク機能エンティティまたはノードに指示するかまたは設定する処理モジュールと、を備える。
【００３１】
可能な実施形態において、前記ＵＥの属性は、
ＵＥの能力と、
ＵＥのモビリティ属性と、
ＵＥのセッション属性と、
ＵＥのモビリティ状態の集合とのうちの任意の１つまたは複数を含む。
【００３２】
可能な実施形態において、前記ＵＥのモビリティ属性は、モビリティ制限と、モビリティモデルと、到達可能性との要件の一部または全部を含み、前記ＵＥのセッション属性は、セッションのタイプおよび／またはセッション継続モードを含む。
【００３３】
可能な実施形態において、前記ＵＥの能力は、
前記ＵＥによってサポートされる動作モードと、
前記ＵＥによってサポートされるアクセス技術と、
前記ＵＥによってサポートされるモビリティ状態とのうちの任意の１つまたは複数を示すパラメータである。
【００３４】
可能な実施形態において、前記設定パラメータは、前記ＵＥに許可されたモビリティ状態と、前記ネットワーク側のモビリティ状態と、前記ネットワーク側の伝送トンネルタイプとのうちの任意の１つまたは複数を含む。
【００３５】
可能な実施形態において、前記第２決定モジュールは、前記モビリティ制限と、前記モビリティモデルと、前記到達可能性要件と、前記ＵＥの能力とのうちの一部または全部に基づき、前記ＵＥに許可されたモビリティ状態を決定する。
【００３６】
可能な実施形態において、前記第２決定モジュールは、
前記モビリティ制限がフリーモビリティ制限であり、前記到達可能性要件が位置追跡のサポートであれば、前記ＵＥがアイドル状態に入ることを許可されていること及び状態遷移条件を決定し、前記状態遷移条件はそれぞれアイドル状態に入ることおよびアイドル状態から出ることに対応する。
【００３７】
可能な実施形態において、前記第２決定モジュールは、
前記モビリティ制限が不動または制限付きモビリティ制限であり、前記到達可能性要件が位置追跡のサポートまたは省電力モードのサポートであれば、前記ＵＥが無線リソース制御（ＲＲＣ）層_接続_非アクティブ状態に入ることが許可されていると決定する。
【００３８】
可能な実施形態において、前記第２決定モジュールは、
前記モビリティ制限と、前記モビリティモデルと、前記到達可能性要件と、前記ＵＥの能力とのうちの一部または全部に基づき、前記ＵＥに対応するコアネットワーク側のモビリティ状態の集合を決定し、および、
前記モビリティ制限と、前記モビリティモデルと、前記到達可能性要件と、前記ＵＥの能力とのうちの一部または全部に基づき、前記ＵＥに対応するアクセスネットワーク側の利用可能なモビリティ状態を決定する。
【００３９】
可能な実施形態において、前記第２決定モジュールは、
前記モビリティ制限がフリーモビリティ制限であり、前記到達可能性要件が位置追跡のサポートであれば、前記コアネットワーク側の前記モビリティ状態の集合にアイドル状態が含まれること及び状態遷移条件を決定し、前記状態遷移条件がそれぞれアイドル状態に入ることおよびアイドル状態から出ることに対応する。
【００４０】
可能な実施形態において、前記第２決定モジュールは、
前記モビリティ制限が不動または制限付きモビリティ制限であり、前記到達可能性要件が位置追跡のサポートまたは省電力モードのサポートであれば、前記アクセスネットワーク側の前記モビリティ状態に無線リソース制御（ＲＲＣ）層_接続_非アクティブ状態が含まれると決定する。
【００４１】
可能な実施形態において、前記第２決定モジュールは、
前記ＵＥのモビリティ状態の集合を取得し、
前記モビリティ制限と、前記モビリティモデルと、前記到達可能性要件と、前記ＵＥの能力とのうちの一部または全部に基づき、取得された前記ＵＥのモビリティ状態の集合が適切であるかどうかを決定し、
取得された前記ＵＥのモビリティ状態の集合が適切であると決定したときに、前記ネットワーク側のＮＡＳモビリティ状態の集合を決定する。
【００４２】
可能な実施形態において、前記第２決定モジュールは、
前記ＵＥのモビリティ状態の集合と、モビリティ制限と、モビリティモデルとのうちの一部または全部に基づき、ＲＲＣ層モビリティ状態を生成するかまたはモビリティ状態のパラメータを決定する際にアクセスネットワークノードを支援する。
【００４３】
可能な実施形態において、前記第２決定モジュールは、
前記モビリティ制限と、前記モビリティモデルと、前記セッションのタイプと、前記セッション継続モードとのうちの一部または全部に基づき、前記ネットワーク側の伝送トンネルタイプを決定する。
【００４４】
可能な実施形態において、前記第２決定モジュールは、
前記モビリティ制限が何らかの制限であり、前記セッションのタイプが非ＩＰデータ送信であるとき、前記伝送トンネルタイプを単純トンネルタイプとして決定し、または、
前記モビリティ制限がフリーモビリティであり、前記セッションのタイプが通常のＩＰデータ送信であるとき、前記伝送トンネルタイプを単純トンネルタイプまたは非トンネルタイプとして決定し、または、
前記モビリティ制限が制限付きモビリティ制限であり、前記セッションのタイプが通常のＩＰデータ送信および／または前記セッション継続モードが継続性を必要としないとき、前記伝送トンネルタイプを単純トンネルタイプまたは非トンネルタイプとして決定し、または、
前記モビリティ制限がフリーモビリティ制限であり、前記セッションのタイプが通常のＩＰデータ送信であるとき、前記伝送トンネルモデルをＵＥごとおよびセッションごとのトンネルタイプとして決定し、または、
前記モビリティ制限がフリーモビリティ制限であり、前記セッションのタイプが優先順位の高いＩＰデータ送信であるとき、前記伝送トンネルモデルを、ＵＥごと、セッションごと、およびサービス品質ごとのトンネルタイプとして決定する。
【００４５】
可能な実施形態において、前記処理モジュールは、
前記コアネットワークにおいて、前記モビリティ状態の集合および／または前記状態遷移条件を設定し、および／または、
関連するアクセスノードに、モビリティ状態、および／またはモビリティ状態を決定するためのパラメータを示す。
【００４６】
可能な実施形態において、前記処理モジュールは、
前記伝送トンネルタイプに基づき、前記ネットワーク側のユーザプレーン機能モジュールを設定する。
【００４７】
可能な実施形態において、前記処理モジュールは、
前記ＵＥに、前記ＵＥに許可されたモビリティ状態および／または前記状態遷移条件を示す。
【００４８】
第３の態様によれば、本発明の実施例に係るネットワークサーバは、プロセッサと、メモリと、送受信機とを備え、前記送受信機は、プロセッサの制御によりデータを送受信し、メモリにプログラムが格納されており、プロセッサは、メモリに格納されたプログラムを読み出して、ＵＥがネットワークにアクセスするときに、プロセッサは、前記ＵＥの属性を決定し、
プロセッサは、前記ＵＥの属性に基づき、前記ＵＥに対応する設定パラメータを決定し、
プロセッサは、前記設定パラメータに基づき、ＵＥに指示するかまたは設定し、および／またはネットワーク側の関連するネットワーク機能エンティティまたはノードに指示するかまたは設定する。
【００４９】
可能な実施形態において、前記ＵＥの属性は、
ＵＥの能力と、
ＵＥのモビリティ属性と、
ＵＥのセッション属性と、
ＵＥのモビリティ状態の集合とのうちの任意の１つまたは複数を含む。
【００５０】
可能な実施形態において、前記ＵＥのモビリティ属性は、モビリティ制限と、モビリティモデルと、到達可能性との要件の一部または全部を含み、前記ＵＥのセッション属性は、セッションのタイプおよび／またはセッション継続モードを含む。
【００５１】
可能な実施形態において、前記ＵＥの能力は、
前記ＵＥによってサポートされる動作モードと、
前記ＵＥによってサポートされるアクセス技術と、
前記ＵＥによってサポートされるモビリティ状態と、のうちの任意の１つまたは複数を示すパラメータである。
【００５２】
可能な実施形態において、前記設定パラメータは、前記ＵＥに許可されたモビリティ状態と、前記ネットワーク側のモビリティ状態と、前記ネットワーク側の伝送トンネルタイプと、のうちの任意の１つまたは複数を含む。
【００５３】
可能な実施形態において、プロセッサは、前記モビリティ制限と、前記モビリティモデルと、前記到達可能性要件と、前記ＵＥの能力とのうちの一部または全部に基づき、前記ＵＥに許可されたモビリティ状態を決定する。
【００５４】
可能な実施形態において、前記モビリティ制限がフリーモビリティ制限であり、前記到達可能性要件が位置追跡のサポートであれば、プロセッサは、前記ＵＥがアイドル状態に入ることを許可されていること及び状態遷移条件を決定し、前記状態遷移条件はそれぞれアイドル状態に入ることおよびアイドル状態から出ることに対応する。
【００５５】
可能な実施形態において、前記モビリティ制限が不動または制限付きモビリティ制限であり、前記到達可能性要件が位置追跡のサポートまたは省電力モードのサポートであれば、プロセッサは、前記ＵＥが無線リソース制御（ＲＲＣ）層_接続_非アクティブ状態に入ることが許可されていると決定する。
【００５６】
可能な実施形態において、プロセッサは、前記モビリティ制限と、前記モビリティモデルと、前記到達可能性要件と、前記ＵＥの能力とのうちの一部または全部に基づき、前記ＵＥに対応するコアネットワーク側のモビリティ状態の集合を決定し、及び、
プロセッサは、前記モビリティ制限と、前記モビリティモデルと、前記到達可能性要件と、前記ＵＥの能力とのうちの一部または全部に基づき、前記ＵＥに対応するアクセスネットワーク側の利用可能なモビリティ状態を決定する。
【００５７】
可能な実施形態において、前記モビリティ制限がフリーモビリティ制限であり、前記到達可能性要件が位置追跡のサポートであれば、プロセッサは、前記コアネットワーク側の前記モビリティ状態の集合にアイドル状態が含まれること及び状態遷移条件を決定し、前記状態遷移条件がそれぞれアイドル状態に入ることおよびアイドル状態から出ることに対応する。
【００５８】
可能な実施形態において、前記モビリティ制限が不動または制限付きモビリティ制限であり、前記到達可能性要件が位置追跡のサポートまたは省電力モードのサポートであれば、プロセッサは、前記アクセスネットワーク側の前記モビリティ状態に無線リソース制御（ＲＲＣ）層_接続_非アクティブ状態が含まれると決定する。
【００５９】
可能な実施形態において、プロセッサは、前記ＵＥのモビリティ状態の集合を取得し、
プロセッサは、前記モビリティ制限と、前記モビリティモデルと、前記到達可能性要件と、前記ＵＥの能力とのうちの一部または全部に基づき、取得された前記ＵＥのモビリティ状態の集合が適切であるかどうかを決定し、
取得された前記ＵＥのモビリティ状態の集合が適切であると決定したときに、プロセッサは、前記ネットワーク側のＮＡＳモビリティ状態の集合を決定する。
【００６０】
可能な実施形態において、プロセッサは、前記ＵＥのモビリティ状態の集合と、モビリティ制限と、モビリティモデルとのうちの一部または全部に基づき、ＲＲＣ層モビリティ状態を生成するかまたはモビリティ状態のパラメータを決定する際にアクセスネットワークノードを支援する。
【００６１】
可能な実施形態において、プロセッサは、前記モビリティ制限と、前記モビリティモデルと、前記セッションのタイプと、前記セッション継続モードとのうちの一部または全部に基づき、前記ネットワーク側の伝送トンネルタイプを決定する。
【００６２】
可能な実施形態において、前記モビリティ制限が何らかの制限であり、前記セッションのタイプが非ＩＰデータ送信であるとき、プロセッサは、前記伝送トンネルタイプを単純トンネルタイプとして決定し、または、
前記モビリティ制限がフリーモビリティであり、前記セッションのタイプが通常のＩＰデータ送信であるとき、プロセッサは、前記伝送トンネルタイプを単純トンネルタイプまたは非トンネルタイプとして決定し、または、
前記モビリティ制限が制限付きモビリティ制限であり、前記セッションのタイプが通常のＩＰデータ送信および／または前記セッション継続モードが継続性を必要としないとき、プロセッサは、前記伝送トンネルタイプを単純トンネルタイプまたは非トンネルタイプとして決定し、または、
前記モビリティ制限がフリーモビリティ制限であり、前記セッションのタイプが通常のＩＰデータ送信であるとき、プロセッサは、前記伝送トンネルモデルをＵＥごとおよびセッションごとのトンネルタイプとして決定し、または、
前記モビリティ制限がフリーモビリティ制限であり、前記セッションのタイプが優先順位の高いＩＰデータ送信であるとき、プロセッサは、前記伝送トンネルモデルを、ＵＥごと、セッションごと、およびサービス品質ごとのトンネルタイプとして決定する。
【００６３】
可能な実施形態において、プロセッサは、前記コアネットワークにおいて、前記モビリティ状態の集合および／または前記状態遷移条件を設定し、および／または、
プロセッサは、関連するアクセスノードに、モビリティ状態、および／またはモビリティ状態を決定するためのパラメータを示す。
【００６４】
可能な実施形態において、プロセッサは、前記伝送トンネルタイプに基づき、前記ネットワーク側のユーザプレーン機能モジュールを設定する。
【００６５】
可能な実施形態において、プロセッサは、前記ＵＥに、前記ＵＥに許可されたモビリティ状態および／または前記状態遷移条件を示す。
【発明の効果】
【００６６】
上記技術的な解決策によれば、本発明に係る実施例において、ＵＥがネットワークにアクセスするときに、前記ＵＥの属性を決定し、前記ＵＥの属性に基づき、前記ＵＥに対応する設定パラメータを決定し、前記設定パラメータに基づき、ＵＥに指示するかまたは設定し、および／またはネットワーク側の関連するネットワーク機能エンティティまたはノードに指示するかまたは設定する。これにより、ＵＥまたはネットワーク側のパラメータをＵＥの属性情報に動的に調整してシグナリングの無駄を減らし、状態を維持する複雑さを軽減し、他のリソースの無駄を減らすことができる。マッチングパラメータを用いて通信中のＵＥを動的に設定するようにして、リソース利用の効率を改善する。
【図面の簡単な説明】
【００６７】
【図１】本発明の実施例に係る発展型パケットシステム（Evolved Packet System，ＥＰＳ）におけるＵＥのユニバーサルステートマシンモデルの図である。
【図２】本発明の実施例に係るＥＰＳシステムにおけるＵＥのＥＭＭ（EPS mobility management，発展型パケットシステムのモビリティ管理）登録状態での状態遷移関係の図である。
【図３】本発明の実施例に係るネットワーク設定方法のフローチャートである。
【図４】本発明の実施例に係る決定前記ネットワーク側に用いられるモビリティ状態の第１種の実現方式の図である。
【図５】本発明の実施例に係る前記ネットワーク側の伝送トンネルタイプを決定するフローチャートである。
【図６】本発明の実施例に係るネットワーク装置の構成図である。
【図７】本発明の実施例に係る他の１つのネットワーク装置の構成図である。
【発明を実施するための形態】
【００６８】
本発明に係る実施例の目的、技術的な解決策及びメリットをより明確にするため、以下、本発明に係る実施例の図面を参考しながら、本発明に係る実施例の技術的な解決策を明確かつ完全に説明する。説明した実施例は、本発明の一部の実施例にすぎず、全部の実施例ではないのは明らかである。本発明の実施例に基づき、当業者が創造性作業を行わない限りに得ることができる他の実施例も、全部本発明の保護範囲に属する。
【００６９】
本発明の実施例に係るネットワークの設定は、図３に示すように、以下のステップを備える。
【００７０】
ステップ１０１において、ＵＥがネットワークにアクセスするときに、前記ＵＥの属性を決定する。
【００７１】
具体的な実施において、コアネットワーク制御プレーン機能は、ネットワークを設定するプロセスを実行することができ、ネットワーク側は、特に、コアネットワークおよび無線アクセスネットワーク（Radio Access Network，ＲＡＮ）を含む。
【００７２】
本発明の実施例に係る，前記ＵＥの属性は、ＵＥの能力と、ＵＥのモビリティ属性と、ＵＥのセッション属性と、ＵＥのモビリティ状態の集合とのうちの任意の１つまたは複数を含む。
【００７３】
本発明の実施例において、前記ＵＥのモビリティ属性は、モビリティ制限と、モビリティモデルと、到達可能性との要件の一部または全部を含み、前記ＵＥのセッション属性は、セッションのタイプおよび／またはセッション継続モードを含む。
【００７４】
本発明の実施例において、モビリティ制限は、モビリティレベルとも呼ばれる。
【００７５】
モビリティモデルは、ＵＥの移動規則性およびモビリティレベルに従って決定される。
【００７６】
前記ＵＥの能力は、以下のうちの任意の１つまたは複数を示すパラメータである。
【００７７】
◎前記ＵＥによってサポートされる動作モード。例えば、モバイルブロードバンド（ｅＭＢＢ）モード、低遅延かつ高信頼性通信（ＣｒｉＣｏｍ）モード、大規模機械通信（ｍＩｏＴ）モードなどであり、実施において、動作モードは、使用タイプ（usage type）または専用コアネットワーク識別子（Dedicated Core Network Identifier，ＤＣＮ ＩＤ）を使用して示すことができる。
【００７８】
◎前記ＵＥによってサポートされるアクセス技術。例えば、５Ｇへアクセスするか、４Ｇへアクセスするかなど。
【００７９】
◎前記ＵＥによってサポートされるモビリティ状態。例えば、power saving状態，RRC_connected_inactive状態をサポートする。
【００８０】
具体的な実施において、ＵＥがネットワークに接続またはアクセスするとき、コアネットワーク制御プレーン機能は、ＵＥの能力および／またはＵＥのモビリティ属性および／またはＵＥのセッション属性および／またはＵＥのモビリティ状態の集合を決定する。前記モビリティレベルレベルは、例えば、不動、制限付きモビリティ、およびフリーモビリティであり得る。もちろん、当業者は、実際に必要に応じて他の移動度レベルを代わりに設定することができるが、本発明の実施形態はそれに限定されない。到達可能性要件は、ダウンリンクデータがＵＥに到達することを保証できること、すなわち、ネットワークがアイドル状態のＵＥをページングできるかどうかを検出できることを意味する。到達可能性は、省電力モードがサポートされているかどうか、すなわち、ＵＥが省電力モードまたは状態での動作をサポートしているかどうかをさらに含む。あるいは、位置追跡がサポートされているかどうか、すなわち、ＵＥがその位置情報をネットワークに報告することを要求されているかどうかを意味する。もちろん、到達可能性は、他のモードを代わりに含むことができるが、本発明の実施形態はそれに限定されない。
【００８１】
ＵＥのセッション属性は、通常、セッションのタイプ及び継続モードを含む。さまざまな観点から見ると、セッションのタイプは、ＩＰタイプのデータ送信及び非ＩＰタイプのデータ送信を含む。および／または、制御プレーンに設定されたセッションと、ユーザプレーンに設定されたセッションとを含む。および／または、通常の優先順位のセッションと、優先順位の高いセッションなど。当業者は、実際に必要に応じてセッションタイプを定義することができる。前記継続モードは、一般的に、以下の３つのモードを含む。
【００８２】
モード１：セッションのアンカーは変更されず、トラフィックの継続性は保証され、セッションの継続性は維持される。
【００８３】
モード２：セッションのアンカーは変更可能であり、トラフィックの継続性は保証されず、セッションの継続性は維持される。
【００８４】
モード３：セッションのアンカーは変更可能であり、トラフィックサービスを提供する２つのセッションがあり、そして、現時点では、サービス継続性は保証され、しかしセッション継続性は維持されない。
【００８５】
前記ＵＥの能力は、特に、そのモビリティモデル、ＵＥ能力、設定などに従ってＵＥによって決定されるＵＥのモビリティ状態として、前記ＵＥによってサポートされるモビリティ状態を示す。
【００８６】
ステップS１０１を実行終了後、本発明の実施例に係る方法は、ステップ１０２を実行し、前記ＵＥの属性に基づき、前記ＵＥに対応する設定パラメータを決定する。
【００８７】
本発明の実施例に係る前記設定パラメータは、前記ＵＥに許可されたモビリティ状態と、前記ネットワーク側のモビリティ状態と、前記ネットワーク側の伝送トンネルタイプとのうちの任意の１つまたは複数を含む。
【００８８】
具体的な実施において、当業者は、実際に必要に応じてネットワーク側またはＵＥの他のパラメータをさらに設定することができるが、本発明の実施形態はそれに限定されない。
【００８９】
本発明の実施例に係る，設定パラメータは一般に、以下で詳細に説明されるように、それぞれＵＥに許可されたモビリティ状態を決定すること、及びネットワーク側の設定パラメータを決定することに分けられる。
【００９０】
第１の態様によれば、ＵＥに許可されたモビリティ状態を決定する場合、
前記モビリティ制限と、前記モビリティモデルと、前記到達可能性要件と、前記ＵＥの能力とのうちの一部または全部に基づき、前記ＵＥに許可されたモビリティ状態を決定する。
【００９１】
本発明の実施例に係る，前記ＵＥに許可されたモビリティ状態を決定する場合、
前記モビリティ制限がフリーモビリティ制限であり、前記到達可能性要件が位置追跡のサポートであれば、前記ＵＥがアイドル状態に入ることを許可されていること及び状態遷移条件を決定し、前記状態遷移条件はそれぞれアイドル状態に入ることおよびアイドル状態から出ることに対応する。
【００９２】
本発明の実施例に係る，前記ＵＥに許可されたモビリティ状態を決定する場合、
前記モビリティ制限が不動または制限付きモビリティ制限であり、前記到達可能性要件が位置追跡のサポートまたは省電力モードのサポートであれば、ＵＥが無線リソース制御（Radio Resource Control，ＲＲＣ）_接続_非アクティブ状態に入ることが許可されていると判断される。
【００９３】
具体的な実施において、当業者であれば、実際に必要に応じて他のモビリティ状態でＵＥを代替的に設定することができるが、本発明の実施形態はそれに限定されない。
【００９４】
第２の態様によれば、ネットワーク側の設定パラメータを決定する。前記ネットワーク側の設定パラメータは、一般に、ネットワーク側の設定パラメータを決定すること、及び前記ネットワーク側の伝送トンネルタイプを決定することに分けられる。
【００９５】
〈状況Ａ〉本発明の実施形態では、ネットワーク側のモビリティ状態は、以下の２つの実施態様において、それに限定されることなく決定される。
【００９６】
図４に示すような第１の実施形態では、
前記モビリティ制限と、前記モビリティモデルと、前記到達可能性要件と、前記ＵＥの能力とのうちの一部または全部に基づき、前記ＵＥに対応するコアネットワーク側のモビリティ状態の集合を決定し、及び
前記モビリティ制限と、前記モビリティモデルと、前記到達可能性要件と、前記ＵＥの能力とのうちの一部または全部に基づき、前記ＵＥに対応するアクセスネットワーク側の利用可能なモビリティ状態を決定する。
【００９７】
具体的な実施において、前記ネットワーク側に用いられるモビリティ状態が決定コアネットワーク側のモビリティ状態の集合と、アクセスネットワーク側利用可能なモビリティ状態に分けられることを決定する。ＵＥがネットワークに接続/アクセスしたとき、コアネットワークの制御プレーン機能は、ＵＥの能力、ＵＥのモビリティ制限、前記モビリティモデル及び到達可能性要件に基づき、ＵＥとマッチングするネットワーク側のモビリティ状態を決定する。
【００９８】
発明の実施例に係る前記ＵＥに対応するコアネットワーク側のモビリティ状態の集合を決定する場合、
前記モビリティ制限がフリーモビリティ制限であり、前記到達可能性要件が位置追跡のサポートであれば、前記コアネットワーク側の前記モビリティ状態の集合にアイドル状態が含まれること及び状態遷移条件を決定し、前記状態遷移条件がそれぞれアイドル状態に入ることおよびアイドル状態から出ることに対応する。
【００９９】
前記ＵＥに対応するアクセスネットワーク側の利用可能なモビリティ状態を決定する場合、
前記モビリティ制限が不動または制限付きモビリティ制限であり、前記到達可能性要件が位置追跡のサポートまたは省電力モードのサポートであれば、前記アクセスネットワーク側の前記モビリティ状態に無線リソース制御（ＲＲＣ）層_接続_非アクティブ状態が含まれると決定する。
【０１００】
第２の実施形態では、前記ＵＥの属性に基づき、ネットワーク側前記ＵＥに対応する設定パラメータを決定する場合、
前記ＵＥのモビリティ状態の集合を取得し、
前記モビリティ制限と、前記モビリティモデルと、前記到達可能性要件と、前記ＵＥの能力とのうちの一部または全部に基づき、取得された前記ＵＥのモビリティ状態の集合が適切であるかどうかを決定し、
取得された前記ＵＥのモビリティ状態の集合が適切であると決定したときに、前記ネットワーク側の非アクセスする層（Non-Access Stratum，ＮＡＳ）モビリティ状態の集合を決定する。
【０１０１】
具体的な実施において、ＵＥがネットワークに接続/アクセスしたとき、ＵＥは、そのモビリティモデル、ＵＥ能力、設定などに従って、ＵＥのステートマシンモデルを決定し、次いで、その決定されたステートマシンモデルをネットワークサーバに明示的または暗黙的に示す。例えば、ＵＥ使用タイプインジケータ、すなわちＵＥのモビリティ集合の集合を使用する。このとき、コアネットワークの制御プレーン機能は、ＵＥのモビリティ制限、モビリティモデル、および到達可能性要件、ならびにＵＥの加入情報に従って、ＵＥによって示されたモビリティ状態の集合が適切であるかどうかを判定する。前記加入情報は、ＵＥに許容される使用タイプ（usage type）、ＵＥの到達可能性特性などを含むことができるが、本発明の実施形態はこれに限定されない。コアネットワークの制御プレーン機能は、ＵＥによって決定された１組のモビリティ状態が適切であると決定すると、ＵＥによって示された１組のモビリティ状態に従ってネットワーク側の１組のＮＡＳモビリティ状態を決定する。
【０１０２】
本発明の実施例に係る前記ネットワーク側のＮＡＳモビリティ状態を決定した後、前記方法では、
前記ＵＥのモビリティ状態の集合と、モビリティ制限と、モビリティモデルとのうちの一部または全部に基づき、ＲＲＣ層モビリティ状態を生成するかまたはモビリティ状態のパラメータを決定する際にアクセスネットワークノードを支援する。
【０１０３】
具体的な実施において、コアネットワークの制御プレーン機能はさらに、アクセスネットワークノードのＲＲＣ層モビリティ状態、またはモビリティ状態支援パラメータ、例えば、RRC_Connected_Inactive（無線リソース制御接続非アクティブ状態）状態をアクティブにするかどうかのインジケータ、ＵＥのモビリティ制限インジケータを生成することができる。
【０１０４】
〈状況Ｂ〉ネットワーク側の伝送トンネルタイプを決定する場合、
前記モビリティ制限と、前記モビリティモデルと、前記セッションのタイプと、前記セッション継続モードとのうちの一部または全部に基づき、前記ネットワーク側の伝送トンネルタイプを決定する。
【０１０５】
本発明の実施例において，前記モビリティ制限と、前記モビリティモデルと、前記セッションのタイプと、前記セッション継続モードとのうちの一部または全部に基づき、前記ネットワーク側の伝送トンネルタイプを決定する場合、
前記モビリティ制限が何らかの制限であり、前記セッションのタイプが非ＩＰデータ送信であるとき、前記伝送トンネルタイプを単純トンネルタイプとして決定し、または、
前記モビリティ制限がフリーモビリティであり、前記セッションのタイプが通常のＩＰデータ送信であるとき、前記伝送トンネルタイプを単純トンネルタイプまたは非トンネルタイプとして決定し、または、
前記モビリティ制限が制限付きモビリティ制限であり、前記セッションのタイプが通常のＩＰデータ送信および／または前記セッション継続モードが継続性を必要としないとき、前記伝送トンネルタイプを単純トンネルタイプまたは非トンネルタイプとして決定し、または、
前記モビリティ制限がフリーモビリティ制限であり、前記セッションのタイプが通常のＩＰデータ送信であるとき、前記伝送トンネルモデルをＵＥごとおよびセッションごとのトンネルタイプとして決定し、または、
前記モビリティ制限がフリーモビリティ制限であり、前記セッションのタイプが優先順位の高いＩＰデータ送信であるとき、前記伝送トンネルモデルを、ＵＥごと、セッションごと、およびサービス品質ごとのトンネルタイプとして決定する。
【０１０６】
具体的な実施において、図５は、本発明の一実施形態による伝送トンネルタイプを決定するプロセスを示す。ＵＥがプロトコルデータユニット（Protocol Data Unit，ＰＤＵ）セッション接続設定要求を開始すると、コアネットワークの制御プレーン機能は、ＵＥのモビリティ制限、モビリティモデル，セッションのタイプ及び継続モードに基づいて、セッションのトンネルタイプを決定する。
【０１０７】
ステップ１０２が実行された後、本発明の実施例に係る方法は、以下のステップS１０３をさらに実行する。前記設定パラメータに基づき、ＵＥに指示するかまたは設定し、および／またはネットワーク側の関連するネットワーク機能エンティティまたはノードに指示するかまたは設定する。
【０１０８】
本発明の実施例において、前記設定パラメータに基づき、ＵＥに指示するかまたは設定し、および／またはネットワーク側の関連するネットワーク機能エンティティまたはノードに指示するかまたは設定するには、以下の３つの態様を含む。
【０１０９】
〈第１の態様〉
前記コアネットワークにおいて、前記モビリティ状態の集合および／または前記状態遷移条件を設定し、および／または、
関連するアクセスノードに、モビリティ状態、および／またはモビリティ状態を決定するためのパラメータを示す。
【０１１０】
具体的な実施において、コアネットワークの制御プレーン機能は、ネットワーク側のモビリティ状態の集合、およびそれぞれの遷移条件を決定すると、コアネットワークおよびアクセスネットワークの関連ノードをそれぞれＵＥのモビリティ要件を満たすパラメータで設定する。
【０１１１】
〈第２の態様〉
前記伝送トンネルタイプに基づき、前記ネットワーク側のユーザプレーン機能モジュールを設定する。
【０１１２】
具体的な実施において、コアネットワークの制御プレーン機能は、ＵＥとの通信のためにネットワーク側の伝送トンネルタイプを決定すると、ＵＥに要求されるトンネルを確立するために、伝送トンネルタイプに従ってユーザプレーン機能モジュールを設定する。
【０１１３】
〈第３の態様〉
前記ＵＥに、前記ＵＥに許可されたモビリティ状態および／または前記状態遷移条件を示す。
【０１１４】
具体的な実施において、コアネットワーク制御プレーン機は、ＵＥの属性に基づいて、ＵＥに許可されたモビリティ状態、および／またはＵＥの属性に応じた状態遷移条件を決定すると、モビリティ状態を設定するためのインジケータをＵＥに送信する。前記インジケータは、モビリティ状態の記述、またはモビリティ状態を有効にするための命令であり得、その結果、ＵＥは、モビリティ状態の記述を受信すると、モビリティ状態を設定する。または、ＵＥは、前記モビリティ状態を開始させる命令を受信すると、命令に従って対応するタイプのモビリティ状態を有効にする。
【０１１５】
同様な発明思想に基づき、本発明の実施例では。ネットワーク装置がさらにに提供され、当該ネットワーク装置の実施は方法の実施例の記載を参考することができ、繰り返して説明しない。
図６に示すネットワーク装置は、
ＵＥがネットワークにアクセスするときに、前記ＵＥの属性を決定する第１決定モジュール６０１と、
前記ＵＥの属性に基づき、前記ＵＥに対応する設定パラメータを決定する第２決定モジュール６０２と、
前記設定パラメータに基づき、ＵＥに指示するかまたは設定し、および／またはネットワーク側の関連するネットワーク機能エンティティまたはノードに指示するかまたは設定する処理モジュール６０３とを備える。
【０１１６】
可能な実施形態において、前記ＵＥの属性は、ＵＥの能力と、ＵＥのモビリティ属性と、ＵＥのセッション属性と、ＵＥのモビリティ状態の集合とのうちの任意の１つまたは複数を含む。
【０１１７】
可能な実施形態において、前記ＵＥのモビリティ属性は、モビリティ制限と、モビリティモデルと、到達可能性との要件の一部または全部を含み、前記ＵＥのセッション属性は、セッションのタイプおよび／またはセッション継続モードを含む。
【０１１８】
可能な実施形態において、前記ＵＥの能力は、前記ＵＥによってサポートされる動作モードと、前記ＵＥによってサポートされるアクセス技術と、前記ＵＥによってサポートされるモビリティ状態とのうちの任意の１つまたは複数を示すパラメータである。
【０１１９】
可能な実施形態において、前記設定パラメータは、前記ＵＥに許可されたモビリティ状態と、前記ネットワーク側のモビリティ状態と、前記ネットワーク側の伝送トンネルタイプとのうちの任意の１つまたは複数を含む。
【０１２０】
可能な実施形態において、前記第２決定モジュール６０２は、前記モビリティ制限と、前記モビリティモデルと、前記到達可能性要件と、前記ＵＥの能力とのうちの一部または全部に基づき、前記ＵＥに許可されたモビリティ状態を決定する。
【０１２１】
[0249]
可能な実施形態において、前記第２決定モジュール６０２は、前記モビリティ制限がフリーモビリティ制限であり、前記到達可能性要件が位置追跡のサポートであれば、前記ＵＥがアイドル状態に入ることを許可されていること及び状態遷移条件を決定し、前記状態遷移条件はそれぞれアイドル状態に入ることおよびアイドル状態から出ることに対応する。
【０１２２】
可能な実施形態において、前記第２決定モジュール６０２は、前記モビリティ制限が不動または制限付きモビリティ制限であり、前記到達可能性要件が位置追跡のサポートまたは省電力モードのサポートであれば、前記ＵＥが無線リソース制御（ＲＲＣ）層_接続_非アクティブ状態に入ることが許可されていると決定する。
【０１２３】
可能な実施形態において、前記第２決定モジュール６０２は、前記モビリティ制限と、前記モビリティモデルと、前記到達可能性要件と、前記ＵＥの能力とのうちの一部または全部に基づき、前記ＵＥに対応するコアネットワーク側のモビリティ状態の集合とのうちの任意の１つまたは複数を含むを決定し、及び、
前記モビリティ制限と、前記モビリティモデルと、前記到達可能性要件と、前記ＵＥの能力とのうちの一部または全部に基づき、前記ＵＥに対応するアクセスネットワーク側の利用可能なモビリティ状態を決定する。
【０１２４】
可能な実施形態において、前記第２決定モジュール６０２は、前記モビリティ制限がフリーモビリティ制限であり、前記到達可能性要件が位置追跡のサポートであれば、前記コアネットワーク側の前記モビリティ状態の集合にアイドル状態が含まれること及び状態遷移条件を決定し、前記状態遷移条件がそれぞれアイドル状態に入ることおよびアイドル状態から出ることに対応する。
【０１２５】
可能な実施形態において、前記第２決定モジュール６０２は、前記モビリティ制限が不動または制限付きモビリティ制限であり、前記到達可能性要件が位置追跡のサポートまたは省電力モードのサポートであれば、前記アクセスネットワーク側の前記モビリティ状態に無線リソース制御（ＲＲＣ）層_接続_非アクティブ状態が含まれると決定する。
【０１２６】
可能な実施形態において、前記第２決定モジュール６０２は、
前記ＵＥのモビリティ状態の集合を取得し、
前記モビリティ制限と、前記モビリティモデルと、前記到達可能性要件と、前記ＵＥの能力とのうちの一部または全部に基づき、取得された前記ＵＥのモビリティ状態の集合が適切であるかどうかを決定し、
取得された前記ＵＥのモビリティ状態の集合が適切であると決定したときに、前記ネットワーク側のＮＡＳモビリティ状態の集合を決定する。
【０１２７】
可能な実施形態において、前記第２決定モジュール６０２は、前記ＵＥのモビリティ状態の集合と、モビリティ制限と、モビリティモデルとのうちの一部または全部に基づき、ＲＲＣ層モビリティ状態を生成するかまたはモビリティ状態のパラメータを決定する際にアクセスネットワークノードを支援する。
【０１２８】
可能な実施形態において、前記第２決定モジュール６０２は、前記モビリティ制限と、前記モビリティモデルと、前記セッションのタイプと、前記セッション継続モードとのうちの一部または全部に基づき、前記ネットワーク側の伝送トンネルタイプを決定する。
【０１２９】
可能な実施形態において、前記第２決定モジュール６０２は、前記モビリティ制限が何らかの制限であり、前記セッションのタイプが非ＩＰデータ送信であるとき、前記伝送トンネルタイプを単純トンネルタイプとして決定し、または、
前記モビリティ制限がフリーモビリティであり、前記セッションのタイプが通常のＩＰデータ送信であるとき、前記伝送トンネルタイプを単純トンネルタイプまたは非トンネルタイプとして決定し、または、
前記モビリティ制限が制限付きモビリティ制限であり、前記セッションのタイプが通常のＩＰデータ送信および／または前記セッション継続モードが継続性を必要としないとき、前記伝送トンネルタイプを単純トンネルタイプまたは非トンネルタイプとして決定し、または、
前記モビリティ制限がフリーモビリティ制限であり、前記セッションのタイプが通常のＩＰデータ送信であるとき、前記伝送トンネルモデルをＵＥごとおよびセッションごとのトンネルタイプとして決定し、または、
前記モビリティ制限がフリーモビリティ制限であり、前記セッションのタイプが優先順位の高いＩＰデータ送信であるとき、前記伝送トンネルモデルを、ＵＥごと、セッションごと、およびサービス品質ごとのトンネルタイプとして決定する。
【０１３０】
可能な実施形態において、前記処理モジュール６０３は、
前記コアネットワークにおいて、前記モビリティ状態の集合および／または前記状態遷移条件を設定し、および／または、
関連するアクセスノードに、モビリティ状態、および／またはモビリティ状態を決定するためのパラメータを示す。
【０１３１】
可能な実施形態において、前記処理モジュール６０３は、前記伝送トンネルタイプに基づき、前記ネットワーク側のユーザプレーン機能モジュールを設定する。
【０１３２】
可能な実施形態において、前記処理モジュール６０３は、前記ＵＥに、前記ＵＥに許可されたモビリティ状態および／または前記状態遷移条件を示す。
【０１３３】
同様な発明思想に基づき、本発明に係る実施例は、ネットワーク装置を提供し、当該ネットワーク装置の実施は方法実施例の記載を参考することができ、繰り返して説明しない。
図７に示すネットワーク装置は、プロセッサ７０１と、メモリ７０２と、送受信機７０３とを備える。
前記送受信機７０３は、プロセッサ７０１の制御によりデータを送受信し、前記メモリ７０２にプログラムが格納されており、
前記プロセッサ７０１は、メモリ７０２に格納されたプログラムを読み出して、ＵＥがネットワークにアクセスするときに、プロセッサ７０１は前記ＵＥの属性を決定する。
【０１３４】
前記プロセッサ７０１は、前記ＵＥの属性に基づき、前記ＵＥに対応する設定パラメータを決定し、
前記プロセッサ７０１は、前記設定パラメータに基づき、ＵＥに指示するかまたは設定し、および／またはネットワーク側の関連するネットワーク機能エンティティまたはノードに指示するかまたは設定する。
【０１３５】
図７において、バスアーキテクチャは、いずれかの数の相互接続するバス及びブリッジを備える。具体的に、プロセッサ７０１が代表となる１つまたは複数のプロセッサ及びメモリ代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。
【０１３６】
可能な実施形態において、前記ＵＥの属性は、ＵＥの能力と、ＵＥのモビリティ属性と、ＵＥのセッション属性と、ＵＥのモビリティ状態の集合とのうちの任意の１つまたは複数を含む。
【０１３７】
可能な実施形態において、前記ＵＥのモビリティ属性は、モビリティ制限と、モビリティモデルと、到達可能性との要件の一部または全部を含み、前記ＵＥのセッション属性は、セッションのタイプおよび／またはセッション継続モードを含む。
【０１３８】
可能な実施形態において、前記ＵＥの能力は、前記ＵＥによってサポートされる動作モードと、前記ＵＥによってサポートされるアクセス技術と、前記ＵＥによってサポートされるモビリティ状態とのうちの任意の１つまたは複数を示すパラメータである。
【０１３９】
可能な実施形態において、前記設定パラメータは、前記ＵＥに許可されたモビリティ状態と、前記ネットワーク側のモビリティ状態と、前記ネットワーク側の伝送トンネルタイプとのうちの任意の１つまたは複数を含む。
【０１４０】
可能な実施形態において、前記プロセッサ７０１は、前記モビリティ制限と、前記モビリティモデルと、前記到達可能性要件と、前記ＵＥの能力とのうちの一部または全部に基づき、前記ＵＥに許可されたモビリティ状態を決定する。
【０１４１】
可能な実施形態において、前記モビリティ制限がフリーモビリティ制限であり、前記到達可能性要件が位置追跡のサポートであれば、前記プロセッサ７０１は、前記ＵＥがアイドル状態に入ることを許可されていること及び状態遷移条件を決定し、前記状態遷移条件はそれぞれアイドル状態に入ることおよびアイドル状態から出ることに対応する。
【０１４２】
可能な実施形態において、前記モビリティ制限が不動または制限付きモビリティ制限であり、前記到達可能性要件が位置追跡のサポートまたは省電力モードのサポートであれば、前記プロセッサ７０１は、前記ＵＥが無線リソース制御（ＲＲＣ）層_接続_非アクティブ状態に入ることが許可されていると決定する。
【０１４３】
可能な実施形態において、前記プロセッサ７０１は、前記モビリティ制限と、前記モビリティモデルと、前記到達可能性要件と、前記ＵＥの能力とのうちの一部または全部に基づき、前記ＵＥに対応するコアネットワーク側のモビリティ状態の集合を決定し、及び、
前記プロセッサ７０１は、前記モビリティ制限と、前記モビリティモデルと、前記到達可能性要件と、前記ＵＥの能力とのうちの一部または全部に基づき、前記ＵＥに対応するアクセスネットワーク側の利用可能なモビリティ状態を決定する。
【０１４４】
可能な実施形態において、前記モビリティ制限がフリーモビリティ制限であり、前記到達可能性要件が位置追跡のサポートであれば、前記プロセッサ７０１は、前記コアネットワーク側の前記モビリティ状態の集合にアイドル状態が含まれること及び状態遷移条件を決定し、前記状態遷移条件がそれぞれアイドル状態に入ることおよびアイドル状態から出ることに対応する。
【０１４５】
可能な実施形態において、前記モビリティ制限が不動または制限付きモビリティ制限であり、前記到達可能性要件が位置追跡のサポートまたは省電力モードのサポートであれば、前記プロセッサ７０１は、前記アクセスネットワーク側の前記モビリティ状態に無線リソース制御（ＲＲＣ）層_接続_非アクティブ状態が含まれると決定する。
【０１４６】
可能な実施形態において、前記プロセッサ７０１は、前記ＵＥのモビリティ状態の集合を取得し、
前記プロセッサ７０１は、前記モビリティ制限と、前記モビリティモデルと、前記到達可能性要件と、前記ＵＥの能力とのうちの一部または全部に基づき、取得された前記ＵＥのモビリティ状態の集合が適切であるかどうかを決定し、
取得された前記ＵＥのモビリティ状態の集合が適切であると決定したときに、前記プロセッサ７０１は、前記ネットワーク側のＮＡＳモビリティ状態の集合を決定する。
【０１４７】
可能な実施形態において、前記プロセッサ７０１は、前記ＵＥのモビリティ状態の集合と、モビリティ制限と、モビリティモデルとのうちの一部または全部に基づき、ＲＲＣ層モビリティ状態を生成するかまたはモビリティ状態のパラメータを決定する際にアクセスネットワークノードを支援する。
【０１４８】
可能な実施形態において、前記プロセッサ７０１は、前記モビリティ制限と、前記モビリティモデルと、前記セッションのタイプと、前記セッション継続モードとのうちの一部または全部に基づき、前記ネットワーク側の伝送トンネルタイプを決定する。
【０１４９】
可能な実施形態において、前記モビリティ制限が何らかの制限であり、前記セッションのタイプが非ＩＰデータ送信であるとき、前記プロセッサ７０１は、前記伝送トンネルタイプを単純トンネルタイプとして決定し、または、
前記モビリティ制限がフリーモビリティであり、前記セッションのタイプが通常のＩＰデータ送信であるとき、前記プロセッサ７０１は、前記伝送トンネルタイプを単純トンネルタイプまたは非トンネルタイプとして決定し、または、
前記モビリティ制限が制限付きモビリティ制限であり、前記セッションのタイプが通常のＩＰデータ送信および／または前記セッション継続モードが継続性を必要としないとき、前記プロセッサ７０１は、前記伝送トンネルタイプを単純トンネルタイプまたは非トンネルタイプとして決定し、または、
前記モビリティ制限がフリーモビリティ制限であり、前記セッションのタイプが通常のＩＰデータ送信であるとき、前記プロセッサ７０１は、前記伝送トンネルモデルを、ＵＥごとおよびセッションごとのトンネルタイプとして決定し、または、
前記モビリティ制限がフリーモビリティ制限であり、前記セッションのタイプが優先順位の高いＩＰデータ送信であるとき、前記プロセッサ７０１は、前記伝送トンネルモデルを、ＵＥごと、セッションごと、およびサービス品質ごとのトンネルタイプとして決定する。
【０１５０】
可能な実施形態において、前記プロセッサ７０１は、前記コアネットワークにおいて、前記モビリティ状態の集合および／または前記状態遷移条件を設定し、および／または
前記プロセッサ７０１は、関連するアクセスノードに、モビリティ状態、および／またはモビリティ状態を決定するためのパラメータを示す。
【０１５１】
可能な実施形態において、前記プロセッサ７０１は、前記伝送トンネルタイプに基づき、前記ネットワーク側のユーザプレーン機能モジュールを設定する。
【０１５２】
可能な実施形態において、プロセッサ７０１は、前記ＵＥに、前記ＵＥに許可されたモビリティ状態および／または前記状態遷移条件を示す。
【０１５３】
上記技術的な解決策によれば、本発明の実施例に係るＵＥがネットワークにアクセスするときに、前記ＵＥの属性を決定し、前記ＵＥの属性に基づき、前記ＵＥに対応する設定パラメータを決定し、前記設定パラメータに基づき、ＵＥに指示するかまたは設定し、および／またはネットワーク側の関連するネットワーク機能エンティティまたはノードに指示するかまたは設定する，これにより、ＵＥまたはネットワーク側のパラメータをＵＥの属性情報に動的に調整してシグナリングの無駄を減らし、状態を維持する複雑さを軽減し、他のリソースの無駄を減らすことができる。マッチングパラメータを用いて通信中のＵＥを動的に設定するようにして、リソース利用の効率を改善する。
【０１５４】
本分野における技術者であれば、本発明の実施形態が、方法、システムまたはいはコンピュータプログラム製品を提供できるため、本発明は完全なハードウェア実施形態、完全なソフトウェア実施形態、またはソフトウェアとハードウェアの両方を結合した実施形態を採用できることが理解できるはずである。さらに、本発明は、一つまたは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むが、それとは限らない）において実施する。
【０１５５】
以上では、本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサは、これらのコンピュータプログラム指令を、汎用コンピュータ、専用コンピュータ、組込み式処理装置、または他のプログラム可能なデータ処理装置設備の処理器に提供でき、コンピュータまたは他のプログラム可能なデータ処理装置のプロセッサは、これらのコンピュータプログラム指令を実行し、フロー図における一つまたは複数のフローおよび／またはブロック図における一つまたは複数のブロックに指定する機能を実現する。  
【０１５６】
これらのコンピュータプログラム指令はまた、コンピュータまたは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つまたは複数のフローおよび／またはブロック図における一つまたは複数のブロックに指定する機能を実現する。
【０１５７】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することによって、関連の処理を実現し、コンピュータまたは他のプログラム可能な設備において実行される指令によって、フロー図における一つまたは複数のフローおよび／またはブロック図における一つまたは複数のブロックに指定する機能を実現する。
【０１５８】
無論、当業者によって、上述した実施形態に記述された技術的な解決手段を改変し、またはその中の一部の技術要素を置換することもできる。そのような、改変や置換は本発明の各実施形態の技術の範囲から逸脱するとは見なされない。そのような改造と置換は、すべて本発明の請求の範囲に属する。
【０１５９】
本出願は、２０１６年８月１９日に中国特許局に提出し、出願番号が２０１６１０６９７３８６.５であり、発明名称が「ネットワーク設定方法及びネットワーク装置」との中国特許出願を基礎とする優先権を主張し、その開示の総てをここに取り込む。
【図１】
2019528628.tif 000003
【図２】
2019528628.tif 000004
【図３】
2019528628.tif 000005
【図４】
2019528628.tif 000006
【図５】
2019528628.tif 000007
【図６】
2019528628.tif 000008
【図７】
2019528628.tif 000009
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
ＵＥがネットワークにアクセスするときに、前記ＵＥの属性を決定するステップと、
前記ＵＥの属性に基づき、前記ＵＥに対応する設定パラメータを決定するステップと、
前記設定パラメータに基づき、前記ＵＥに指示するかまたは設定し、および／またはネットワーク側の関連するネットワーク機能エンティティまたはノードに指示するかまたは設定することを特徴とするネットワーク設定方法。
【請求項２】
前記ＵＥの属性は、
ＵＥの能力と、
ＵＥのモビリティ属性と、
ＵＥのセッション属性と、
ＵＥのモビリティ状態の集合と、のうちの任意の１つまたは複数を含むことを特徴とする請求項１に記載のネットワーク設定方法。
【請求項３】
前記ＵＥの属性では、
前記ＵＥのモビリティ属性は、モビリティ制限と、モビリティモデルと、到達可能性との要件の一部または全部を含み、
前記ＵＥのセッション属性は、セッションのタイプおよび／またはセッション継続モードを含む、ことを特徴とする請求項２に記載のネットワーク設定方法。
【請求項４】
前記ＵＥの能力は、前記ＵＥによってサポートされる動作モードと、
前記ＵＥによってサポートされるアクセス技術と、
前記ＵＥによってサポートされるモビリティ状態とのうちの任意の１つまたは複数を示すパラメータであることを特徴とする請求項３に記載のネットワーク設定方法。
【請求項５】
前記ＵＥの属性は、
前記設定パラメータは、前記ＵＥに許可されたモビリティ状態と、前記ネットワーク側のモビリティ状態と、前記ネットワーク側の伝送トンネルタイプとのうちの任意の１つまたは複数を含むことを特徴とする請求項１に記載のネットワーク設定方法。
【請求項６】
前記ＵＥの属性に基づき、前記ＵＥに対応する設定パラメータを決定する場合、
前記モビリティ制限と、前記モビリティモデルと、前記到達可能性要件と、前記ＵＥの能力とのうちの一部または全部に基づき、前記ＵＥに許可されたモビリティ状態を決定することを特徴とする請求項５に記載のネットワーク設定方法。
【請求項７】
前記ＵＥに許可されたモビリティ状態を決定する場合、
モビリティ制限がフリーモビリティであり、到達可能性要件が位置追跡のサポートであれば、前記ＵＥがアイドル状態に入ることを許可されていること及び状態遷移条件を決定し、前記状態遷移条件はそれぞれアイドル状態に入ることおよびアイドル状態から出ることに対応することを特徴とする請求項６に記載のネットワーク設定方法。
【請求項８】
前記ＵＥに許可されたモビリティ状態を決定する場合、
前記モビリティ制限が不動または制限付きモビリティであり、到達可能性要件が位置追跡のサポート、または省電力モードのサポートである場合、前記ＵＥが無線リソース制御（ＲＲＣ）層_接続_非アクティブ状態に入ることが許可されていると決定することを特徴とする請求項６に記載のネットワーク設定方法。
【請求項９】
前記ＵＥの属性に基づき、前記ＵＥに対応する設定パラメータを決定する場合、
前記ＵＥのモビリティ状態の集合を取得し、
前記モビリティ制限と、前記モビリティモデルと、前記到達可能性要件と、前記ＵＥの能力とのうちの一部または全部に基づき、取得された前記ＵＥのモビリティ状態の集合が適切であるかどうかを決定し、
取得された前記ＵＥのモビリティ状態の集合が適切であると決定したときに、前記ネットワーク側の非アクセスする層（ＮＡＳ）モビリティ状態の集合を決定することを特徴とする請求項５に記載のネットワーク設定方法。
【請求項１０】
前記ネットワーク側のＮＡＳモビリティ状態を決定した後、
前記ＵＥのモビリティ状態の集合と、モビリティ制限と、モビリティモデルとのうちの一部または全部に基づき、ＲＲＣ層モビリティ状態を生成するかまたはモビリティ状態のパラメータを決定する際にアクセスネットワークノードを支援することを特徴とする請求項９に記載のネットワーク設定方法。
【請求項１１】
前記ＵＥの属性に基づき、前記ＵＥに対応する設定パラメータを決定する場合、
前記モビリティ制限と、前記モビリティモデルと、前記セッションのタイプと、前記セッション継続モードとのうちの一部または全部に基づき、前記ネットワーク側の伝送トンネルタイプを決定することを特徴とする請求項５に記載のネットワーク設定方法。
【請求項１２】
前記モビリティ制限と、前記モビリティモデルと、前記セッションのタイプと、前記セッション継続モードとのうちの一部または全部に基づき、前記ネットワーク側の伝送トンネルタイプを決定する場合、
前記モビリティ制限が何らかの制限であり、前記セッションのタイプが非インターネットプロトコル（ＩＰ）データ送信であるとき、前記伝送トンネルタイプを単純トンネルタイプとして決定し、または、
前記モビリティ制限がフリーモビリティであり、前記セッションのタイプが通常のＩＰデータ送信であるとき、前記伝送トンネルタイプを単純トンネルタイプまたは非トンネルタイプとして決定し、または、
前記モビリティ制限が制限付きモビリティ制限であり、前記セッションのタイプが通常のＩＰデータ送信および／または前記セッション継続モードが継続性を必要としないとき、前記伝送トンネルタイプを単純トンネルタイプまたは非トンネルタイプとして決定し、または、
前記モビリティ制限がフリーモビリティ制限であり、前記セッションのタイプが通常のＩＰデータ送信であるとき、前記伝送トンネルモデルをＵＥごとおよびセッションごとのトンネルタイプとして決定し、または、
前記モビリティ制限がフリーモビリティ制限であり、前記セッションのタイプが優先順位の高いＩＰデータ送信であるとき、前記伝送トンネルモデルを、ＵＥごと、セッションごと、およびサービス品質ごとのトンネルタイプとして決定することを特徴とする請求項１１に記載のネットワーク設定方法。
【請求項１３】
前記設定パラメータに基づき、ＵＥに指示するかまたは設定し、および／またはネットワーク側の関連するネットワーク機能エンティティまたはノードに指示するかまたは設定する場合、
関連するアクセスノードに、モビリティ状態、および／またはモビリティ状態を決定するためのパラメータを示すことを特徴とする請求項１０に記載のネットワーク設定方法。
【請求項１４】
前記設定パラメータに基づき、ＵＥに指示するかまたは設定し、および／またはネットワーク側の関連するネットワーク機能エンティティまたはノードに指示するかまたは設定する場合、
前記伝送トンネルタイプに基づき、前記ネットワーク側のユーザプレーン機能モジュールを設定することを特徴とする請求項１１又は１２に記載のネットワーク設定方法。
【請求項１５】
ＵＥがネットワークにアクセスするときに、前記ＵＥの属性を決定する第１決定モジュールと、
前記ＵＥの属性に基づき、前記ＵＥに対応する設定パラメータを決定する第２決定モジュールと、
前記設定パラメータに基づき、ＵＥに指示するかまたは設定し、および／またはネットワーク側の関連するネットワーク機能エンティティまたはノードに指示するかまたは設定する処理モジュールと、を備えることを特徴とするネットワーク装置。
【国際調査報告】
2019528628.tif 000010
2019528628.tif 000011
2019528628.tif 000012
2019528628.tif 000013